(57)【特許請求の範囲】
【請求項１】
建物の天井パネルに取り付けられ、火災を感知して給水管からの水を自動的に散水するスプリンクラー装置であって、
上記天井パネルに形成された開口部を覆うカバー本体であって、このカバー本体が上記開口部に取り付けられた筒状の枠体と、この枠体によって支持され上記開口部を閉塞すると共に散水用開口部が形成された円盤状の蓋体とからなる上記カバー本体と、
このカバー本体の散水用開口部に挿入されると共に水を散水するスプリンクラーヘッド部と、
上記天井パネルの裏側に設けられ、上記給水管と上記スプリンクラーヘッド部とを接続する配管接続部と、
上記天井パネルの裏側に設けられ、上記配管接続部を上記天井パネルに固定する固定手段と、
一端部が上記カバー本体の枠体に取り付けられると共に他端部が上記固定手段に取り付けられ、上記カバー本体を上記天井パネルに対して付勢する付勢手段と、を有し、
上記カバー本体の枠体は、上記蓋体の底面部を支持する環状の支持部と、この支持部から上方に突出して上記蓋体の外縁を固定する複数の突出部とを備え、上記枠体の複数の突出部は、上記枠体の支持部を上記枠体の突出部の基端部より内側に突出し且つ周方向に沿って延びる内側フランジ部と、上記突出部の基端部より外側に突出し且つ周方向に沿って延びる外側フランジ部に画定し、カバー本体を上記開口部に取り付けた際、上記内側フランジ部は上記蓋体の底面外周部を支持し、上記外側フランジ部は上記開口部を支持するように構成されており、これら複数の突出部のうちの一部の突出部は、上記付勢手段の一端部が取り付けられる複数の取付位置を含む付勢手段取付部を備え、上記付勢手段の一端部が取り付けられる付勢手段取付部の取付位置に応じて、上記カバー本体を上記天井パネルに付勢する付勢力を調整することができるように構成されていることを特徴とするスプリンクラー装置。
【請求項２】
上記蓋体は、上記天井パネルを切り抜いて上記開口部を形成した際の上記天井パネルの切り抜いた部分をそのまま利用して用いられる請求項１記載のスプリンクラー装置。
【請求項３】
上記付勢手段取付部を含む上記枠体の突出部は、対向する少なくとも一対の突出部により構成されている請求項１記載のスプリンクラー装置。
【請求項４】
上記突出部の付勢手段取付部の複数の取付位置は、互いに縦方向に配列されている請求項３記載のスプリンクラー装置。
【請求項５】
上記突出部の付勢手段取付部の複数の取付位置は、互いに斜め方向に配列されている請求項３記載のスプリンクラー装置。
【請求項６】
上記突出部の基端部から上記付勢手段取付部の最上段の取付位置までの高さは、天井パネル又は蓋体の厚みより大きい請求項４又は５に記載のスプリンクラー装置。
【請求項７】
上記突出部の付勢手段取付部に一端部が取り付けられ他端部が固定手段に取り付けられる付勢手段は、引張コイルばねである請求項１乃至６の何れか１項に記載のスプリンクラー装置。
【請求項８】
上記固定手段は、上記配管接続部を、天井パネルを裏側から支持する野縁を介して天井パネルに固定する請求項１乃至７に記載のスプリンクラー装置。
【請求項９】
上記引張コイルばねの一端が取り付けられる枠体の付勢手段取付部は、上記引張コイルばねの他端が取り付けられる固定手段の付勢手段取付部に対して外側下方に位置するように構成されている請求項７記載のスプリンクラー装置。
【請求項１０】
上記引張コイルばねは、上記枠体の付勢手段取付部と上記固定手段の付勢手段取付部に取り付けられた状態ではコイル中心軸線と天井パネルの面とがなす角度が鋭角になるように構成されている請求項９記載のスプリンクラー装置。
【請求項１１】
上記引張コイルばねの一端部が取り付けられる上記突出部の付勢手段取付部の複数の取付位置の各々は、引張コイルばねの一端部が着脱可能に取り付けられる凹形状の溝によって構成されている請求項７記載のスプリンクラー装置。
【発明の詳細な説明】
【技術分野】
【０００１】
本発明は、スプリンクラー装置に係り、特に、建物の天井等に取り付けられ、火災を感知して給水管からの水を自動的に散水するスプリンクラー装置に関する。
【背景技術】
【０００２】
従来から、建物の天井等に取り付けられ、火災を感知して天井等から自動的に散水するスプリンクラー装置が知られている。従来のスプリンクラー装置では、建物の天井の裏側に設置されたスプリンクラー装置の配管接続継手等を点検する際に、配管接続継手の下方に位置する天井パネルの点検用の開口部から配管接続継手等にアクセスして点検することができるようになっている。また、スプリンクラー装置の使用時の点検用の開口部は、この開口部を覆う蓋体を含むカバー本体が取り付けられている。このカバー本体の一部には、引張コイルばねの一端が取り付けられ、この引張コイルばねの他端は天井裏側の配管接続継手等を固定する固定手段等に取り付けられており、カバー本体は引張コイルばねの張力によって天井のパネル面に当接するまで引き上げられるようになっている（例えば、特許文献１参照）。
【０００３】
【特許文献１】特開２００５−３１９２７８号公報（第１５頁〜第１６頁、第１１図）
【発明の開示】
【発明が解決しようとする課題】
【０００４】
しかしながら、上述した従来のスプリンクラー装置では、引張コイルばねがそのコイル中心軸線が鉛直方向に延びるようにカバー本体と天井裏側の配管接続継手等を固定する固定手段に取り付けられているが、天井の懐の高さ寸法が低い場合には、取付可能な固定手段の高さ寸法も低くなるため、引張コイルばねが十分に作用するだけのばねの高さ方向（垂直方向）の寸法を十分に確保することが難しい。取り付ける際にカバー本体を引き下げることが必要なことを考えると、引張コイルばねをあまり強くすることができないため、カバー本体を天井のパネル面に当接するまで引き上げるのに十分なばねの張力が得られず、カバー本体を天井パネルに確実に付勢して保持しておくことができないという問題がある。
【０００５】
そこで、本発明は、上述した従来技術の問題を解決すると共に従来からの要請に応えるためになされたものであり、カバー本体を天井パネルに付勢する付勢力を確保することができ、カバー本体を天井パネルに確実に付勢して保持することができるスプリンクラー装置を提供することを目的としている。
【課題を解決するための手段】
【０００６】
上記の目的を達成するために、本発明は、建物の天井パネルに取り付けられ、火災を感知して給水管からの水を自動的に散水するスプリンクラー装置であって、上記天井パネルに形成された点検用開口部を覆うカバー本体であって、このカバー本体が上記点検用開口部に取り付けられた筒状の枠体と、この枠体によって支持され上記点検用開口部を閉塞すると共に散水用開口部が形成された円盤状の蓋体とからなる上記カバー本体と、このカバー本体の散水用開口部に挿入されると共に水を散水するスプリンクラーヘッド部と、上記天井パネルの裏側に設けられ、上記給水管と上記スプリンクラーヘッド部とを接続する配管接続部と、上記天井パネルの裏側に設けられ、上記配管接続部を固定する固定手段と、一端部が上記カバー本体の枠体に取り付けられると共に他端部が上記固定手段に取り付けられ、上記カバー本体を上記天井パネルに対して付勢する付勢手段と、を有し、上記カバー本体の枠体は、上記蓋体の底面部を支持する環状の支持部と、この支持部から上方に突出して上記蓋体の外縁を固定する複数の突出部とを備え、上記枠体の複数の突出部は、上記枠体の支持部を上記枠体の突出部の基端部より内側に突出し且つ周方向に沿って延びる内側フランジ部と、上記突出部の基端部より外側に突出し且つ周方向に沿って延びる外側フランジ部に画定し、カバー本体を上記点検用開口部に取り付けた際、上記内側フランジ部は上記蓋体の底面外周部を支持し、上記外側フランジ部は上記点検用開口部を支持するように構成されており、これら複数の突出部のうちの一部の突出部は、上記付勢手段の一端部が取り付けられる複数の取付位置を含む付勢手段取付部を備え、上記付勢手段の一端部が取り付けられる付勢手段取付部の取付位置に応じて、上記カバー本体を上記天井パネルに付勢する付勢力を調整することができるように構成されていることを特徴としている。
このように構成された本発明のスプリンクラー装置においては、カバー本体を天井パネルの点検用開口部に取り付けた際に、カバー本体の枠体と固定手段に取り付けられた付勢手段により、カバー本体が天井パネルに付勢される。また、天井パネルの厚みが変更されたり、固定手段の高さ方向の設置位置が変更される等、スプリンクラー装置の設置位置が変わっても、カバー本体の枠体の付勢手段取付部に取り付けられる付勢手段の取付位置を適宜選択することにより、カバー本体を天井パネルに付勢する付勢力を調整することができるため、カバー本体を天井パネルの点検用開口部に取り付けた際に所定以上の付勢力を維持し、カバー本体を天井パネルに確実に付勢して保持することができる。さらに、枠体の複数の突出部が枠体の支持部を内側フランジ部と外側フランジ部に画定するため、カバー本体を天井パネルの開口部に取り付けた際、枠体の支持部の内側フランジ部が蓋体の底面外周部を天井パネルの表側から支持し、枠体の支持部の外側フランジ部が天井パネルの開口部を天井パネルの表側から支持することができ、カバー本体を天井パネルに確実に取り付けることができる。
【０００７】
本発明において、上記蓋体は、上記天井パネルを切り抜いて上記開口部を形成した際の上記天井パネルの切り抜いた部分をそのまま利用して用いられることが好ましい。
このように構成された本発明のスプリンクラー装置においては、蓋体を別途成形することなく、天井パネルの点検用開口部を形成した際の天井パネルの切り抜いた部分をそのまま有効利用することができるため、施工を簡単に行うことができる。また、蓋体が天井パネルと同一の材料となるため、カバー本体を天井パネルの点検用開口部に取り付けた際の両者の表面上の外観を一致させることができ、カバー本体と天井パネルとの一体感を生じさせることができる。しかも、天井パネルの厚み寸法が厚い場合には、枠体の突出部に設けられた付勢手段取付部が隠れない位置の付勢手段取付部を利用することにより、厚い天井パネルと付勢手段が干渉してしまうことを防ぐことができる。
【０００８】
本発明において、上記付勢手段取付部を含む上記枠体の突出部は、対向する少なくとも一対の突出部により構成されていることが好ましい。
このように構成された本発明のスプリンクラー装置においては、付勢手段取付部を含む枠体の突出部が対向する少なくとも一対の突出部により構成されているため、カバー本体を天井パネルの点検用開口部に取り付けた際に、カバー本体の枠体の対向する付勢手段取付部のそれぞれに取り付けた付勢手段により、カバー本体を天井パネルに安定して確実に付勢して保持することができる。
【０００９】
本発明において、上記突出部の付勢手段取付部の複数の取付位置は、互いに縦方向に配列されていることが好ましい。
このように構成された本発明のスプリンクラー装置においては、天井パネルの厚みが変更されたり、固定手段の高さ方向の設置位置が変更される等、スプリンクラー装置の設置位置が変わっても、付勢手段の一端を付勢手段取付部に取り付ける際に縦方向に配列された取付位置を適宜選択することにより、カバー本体を天井パネルに付勢する付勢力を調整することができるため、カバー本体を天井パネルの点検用開口部に取り付けた際に所定以上の付勢力を維持し、カバー本体を天井パネルに確実に付勢して保持することができる。
【００１０】
本発明において、上記突出部の付勢手段取付部の複数の取付位置は、互いに斜め方向に配列されていてもよい。
このように構成された本発明のスプリンクラー装置においては、天井パネルの厚みが変更されたり、固定手段の高さ方向の設置位置が変更される等、スプリンクラー装置の設置位置が変更されても、付勢手段の一端を付勢手段取付部に取り付ける際に斜め方向に配列された取付位置を適宜選択することにより、カバー本体を天井パネルに付勢する付勢力を調整することができるため、カバー本体を天井パネルの点検用開口部に取り付けた際に所定以上の付勢力を維持し、カバー本体を天井パネルに確実に付勢して保持することができる。
【００１１】
本発明において、上記突出部の基端部から上記付勢手段取付部の最上段の取付位置までの高さは、天井パネル又は蓋体の厚みより大きいことが好ましい。
このように構成された本発明のスプリンクラー装置においては、天井パネル又は蓋体の厚みが厚い場合でも付勢手段取付部の少なくとも最上段の取付位置を確保することができ、天井パネル又は蓋体の厚みが薄い場合には、付勢手段取付部の下段の取付位置を利用することができる。このため、天井パネルの厚みが変更されたり、固定手段の高さ方向の設置位置が変更される等、スプリンクラー装置の設置位置が変わっても、カバー本体の枠体の付勢手段取付部に取り付けられる付勢手段の取付位置を適宜選択することにより、カバー本体を天井パネルに付勢する付勢力を調整することができ、カバー本体を天井パネルの点検用開口部に取り付けた際に所定以上の付勢力を維持し、カバー本体を天井パネルに確実に付勢して保持することができる。
【００１２】
本発明において、上記突出部の付勢手段取付部に一端部が取り付けられ他端部が固定手段に取り付けられる付勢手段は、引張コイルばねであることが好ましい。
このように構成された本発明のスプリンクラー装置においては、天井パネルの厚みが変更されたり、固定手段の高さ方向の設置位置が変更される等、スプリンクラー装置の設置位置が変わっても、カバー本体の枠体の付勢手段取付部に一端部が取り付けられる引張コイルばねの取付位置を適宜選択することにより、カバー本体を天井パネルに付勢する引張コイルばねの張力を調整することができるため、カバー本体を天井パネルの点検用開口部に取り付けた際に引張コイルばねの所定以上の張力を維持し、カバー本体を天井パネルに確実に付勢して保持することができる。
【００１３】
本発明において、上記固定手段は、天井パネルの裏側に固定されて天井パネルを裏側から支持する野縁に固定されていることが好ましい。
このように構成された本発明のスプリンクラー装置においては、付勢手段の他端部が取り付けられる固定手段が野縁に固定されているため、天井パネルの厚みが薄くてその天井パネルに固定手段を固定した場合と比べて、野縁の寸法分だけカバー本体の枠体の付勢手段取付部と固定手段との距離を確保することができる。したがって、カバー本体を天井パネルの点検用開口部に取り付けた際に付勢手段取付部と固定手段に取り付けられた付勢手段の付勢力（引張コイルばねの張力）を所定以上に維持し、カバー本体を天井パネルに確実に付勢して保持することができる。
【００１４】
本発明において、上記引張コイルばねの一端が取り付けられる枠体の付勢手段取付部は、上記引張コイルばねの他端が取り付けられる固定手段の付勢手段取付部に対して外側下方に位置するように構成されていることが好ましい。
このように構成された本発明のスプリンクラー装置においては、天井パネルの厚みが薄い場合に引張コイルばねが取り付けられる枠体の付勢手段取付部と固定手段の付勢手段取付部との間の鉛直方向の距離が短くなっても、引張コイルばねが取り付けられる枠体の付勢手段取付部と固定手段の付勢手段取付部との水平方向の距離を確保することができるため、カバー本体を天井パネルの点検用開口部に取り付けた際に引張コイルばねの張力を所定以上に維持し、カバー本体を天井パネルに確実に付勢して保持することができる。
【００１５】
本発明において、上記引張コイルばねは、上記枠体の付勢手段取付部と上記固定手段の付勢手段取付部に取り付けられた状態ではコイル中心軸線と天井パネルの面とがなす角度が鋭角になるように構成されていることが好ましい。
このように構成された本発明のスプリンクラー装置においては、天井パネルの厚みが薄い場合に引張コイルばねが取り付けられる枠体の付勢手段取付部と固定手段の付勢手段取付部との間の鉛直方向の距離が短くなっても、引張コイルばねが取り付けられる枠体の付勢手段取付部と固定手段の付勢手段取付部との水平方向の距離を確保することができるため、カバー本体を天井パネルの点検用開口部に取り付けた際に引張コイルばねの張力を所定以上に維持し、カバー本体を天井パネルに確実に付勢して保持することができる。
【００１６】
本発明において、上記引張コイルばねの一端部が取り付けられる上記突出部の付勢手段取付部の複数の取付位置の各々は、引張コイルばねの一端部が着脱可能に取り付けられる凹形状の溝によって構成されていることが好ましい。
このように構成された本発明のスプリンクラー装置においては、突出部の付勢手段取付部の複数の取付位置の凹形状の溝に引張コイルばねの一端部を着脱可能に取り付けることができるため、天井パネルの厚みが変更されたり、固定手段の高さ方向の設置位置が変更される等、スプリンクラー装置の設置位置が変わっても、カバー本体の枠体の付勢手段取付部に一端部が取り付けられる引張コイルばねの取付位置を適宜選択することにより、カバー本体を天井パネルに付勢する引張コイルばねの張力を調整することができる。また、カバー本体を天井パネルの点検用開口部に取り付けた際に引張コイルばねの所定以上の張力を維持し、カバー本体を天井パネルに確実に付勢して保持することができる。
【発明の効果】
【００１７】
本発明のスプリンクラー装置によれば、カバー本体を天井パネルに付勢する付勢力を確保することができ、カバー本体を天井パネルに確実に付勢して保持することができる。また、取り付けの施工を簡単に行うことができる。
【発明を実施するための最良の形態】
【００１８】
以下、添付図面を参照して本発明のスプリンクラー装置の実施形態について説明する。
図１は本発明の第１実施形態によるスプリンクラー装置について天井パネルの裏側から見た概略斜視図であり、図２は図１のII−II断面図である。
図１及び図２に示すように、本実施形態のスプリンクラー装置１は、建物の天井パネル２に取り付けられ、火災を感知して給水管３からの水を自動的に散水するものである。このスプリンクラー装置１は、天井パネル２の表側に設けられて水を散水するスプリンクラーヘッド部４を備えている。
また、スプリンクラー装置１は、天井パネル２の裏側に設けられた給水管３とスプリンクラーヘッド部４とを接続する配管接続部である停滞水防止用の配管接続継手６を備えている。
さらに、スプリンクラー装置１は、天井パネル２の裏側に設けられて配管接続継手６を固定する固定手段である固定ユニット８を備え、この固定ユニット８は、天井パネル２の裏側に固定されて天井パネル２を裏側から支持する野縁１０に固定されている。この固定ユニット８は、野縁１０間を延びる一対のレール８ａを備え、これらのレール８ａはブラケット８ｂを介して野縁１０に固定されている。また、レール８ａは、取付クリップ８ｃによってブラケット８ｂに着脱可能に取り付けられている。さらに、固定ユニット８は、一対のレール８ａの間を橋渡しするように固定された固定金具８ｄを備え、この固定金具８ｄにより配管接続継手６が固定ユニット８に固定されるようになっている。
なお、本実施形態のスプリンクラー装置１では、固定ユニット８が固定される野縁１０として建築用の木材が用いられた場合について説明するが、野縁１０として軽量鉄骨が用いた場合でも適用可能である。
【００１９】
また、スプリンクラー装置１はカバー本体１２を備えている。さらに、天井パネル２の裏側にある配管接続継手６や固定ユニット８等の取り付けや点検をするのに天井パネル２の表側から裏側へのアクセスを可能にするために天井パネル２を貫くように円形状の開口部１４が形成されており、この開口部１４にカバー本体１２が取り付けられて覆われるようになっている。
カバー本体１２は、開口部１４に嵌め込まれる金属製の筒状の枠体１６（詳細は後述する）と、この枠体１６によって支持され開口部１４を閉塞すると共にスプリンクラーヘッド部４を挿通可能とする円板状の蓋体１８を備えている。この蓋体１８は、天井パネル２を切り抜いて開口部１４を形成した際の天井パネル２の切り抜いた部分をそのまま利用して用いられるようになっており、この切り抜いた部分の中央部にはスプリンクラーヘッド部４が挿入される散水用開口部１８ａをさらに形成して蓋体１８としている。
さらに、スプリンクラー装置１は、カバー本体１２を天井パネル２の開口部１４に取り付けた際にカバー本体１２を天井パネル２に付勢する付勢手段である２つの引張コイルばね２０を備えている。これら２つの引張コイルばね２０については、共に同じ仕様のものであり、その一端部であるフック部２０ａがカバー本体１２の枠体１６の対向する一対の引張コイルばね取付部２２（詳細は後述する）に取り付けられている。一方、２つの引張コイルばね２０の他端部であるフック部２０ｂそれぞれは、固定ユニット８の固定金具８ｄに設けられた対向する一対の引張コイルばね取付部２４にそれぞれ取り付けられている。
また、特に図２に示すように、カバー本体１２の枠体１６の対向する一対の引張コイルばね取付部２２の間隔は、固定ユニット８の対向する一対の引張コイルばね取付部２４の間隔よりも大きくなっており、カバー本体１２の枠体１６の引張コイルばね取付部２２が固定ユニット８の引張コイルばね取付部２４に対して外側下方に位置している。引張コイルばね２０の両端がカバー本体１２と固定ユニット８のそれぞれの引張コイルばね取付部２２，２４に取り付けられた際には、引張コイルばね２０はそのコイル中心軸線２０ｃが斜め上方に延びるように配置されるようになっている。すなわち、引張コイルばね２０が引張コイルばね取付部２２，２４に取り付けられた状態では、引張コイルばね２０のコイル中心軸線２０ｃと天井パネル２の面とがなす角度が鋭角αになっている。
【００２０】
つぎに、上述したカバー本体１２の枠体１６とその引張コイルばね取付部２２の構成について詳細に説明する。
図３は本実施形態のスプリンクラー装置のカバー本体を示す分解斜視図である。図３に示すように、カバー本体１２の枠体１６は、蓋体１８が載置されて蓋体１８の底面部を支持する環状の支持部２６と、この支持部２６から上方に突出して対向する二対の高さの異なる薄肉の突出部２８，３０を備えている。
また、これら二対の突出部２８，３０は、枠体１６の支持部２６を枠体１６の突出部２８，３０の基端部より内側に突出し且つ周方向に沿って延びる内側フランジ部２６ａと、突出部２８，３０の基端部より外側に突出し且つ周方向に沿って延びる外側フランジ部２６ｂに画定し、カバー本体１２を天井パネル２の開口部１４に取り付けた際、内側フランジ部２６ａは蓋体１８の底面外周部を支持し、外側フランジ部２６ｂは天井パネル２の開口部１４に当接するように構成されている。
さらに、これら二対の突出部２８，３０はいずれも蓋体１８の外縁１８ｂに当接して蓋体１８を固定している。すなわち、二対の突出部２８，３０の対向する突出部同士の互いの間隔はほぼ蓋体１８の外径に相当するようになっている。また、二対の突出部２８，３０のうちの高さが高い一対の突出部２８は、上述した引張コイルばね取付部２２を備えている。この引張コイルばね取付部２２は、引張コイルばね２０のフック部２０ａを取り付けることができる２つの取付位置２２ａ，２２ｂを含む。
【００２１】
図４は、図３のカバー本体の枠体における引張コイルばね取付部を含む突出部の部分を示す部分拡大図である。なお、図４では、引張コイルばね取付部に取り付けた状態の引張コイルばねとそのフック部を破線で示している。
図４に示すように、カバー本体１２の枠体１６の突出部２８における引張コイルばね取付部２２の２つの取付位置２２ａ，２２ｂの各々は、引張コイルばね２０のフック部２０ａが着脱可能に取り付けられる上方が凹んだ凹形状の溝によって構成されている。なお、これらの取付位置２２ａ，２２ｂの凹形状の溝形状については、下方が凹んだり、左右のいずれかが凹んだ溝形状でもよく、引張コイルばね２０のフック部２０ａを着脱可能に取り付けることができる溝形状であればよい。
また、２つの取付位置２２ａ，２２ｂは互いに縦方向に配列されており、引張コイルばね２０のフック部２０ａを引張コイルばね取付部２２に取り付ける際に取付位置２２ａ，２２ｂのいずれかの取付位置を適宜選択することにより、カバー本体１２を天井パネル２に付勢する付勢力を調整することができるように構成されている。
さらに、枠体１６の突出部２８の基端部から引張コイルばね取付部２２の最上段の取付位置２２ｂまでの高さは、天井パネル２又は蓋体１８の厚みより大きくなるように設計されている。
なお、本実施形態では、枠体１６の突出部２８に縦方向に配列されている取付位置２２ａ，２２ｂの個数については、一例として２つに設定されているが、取り扱う天井パネル２又は蓋体１８の厚みの範囲に応じて、３つ以上に設定してもよい。
【００２２】
つぎに、上述した本発明の第１実施形態によるスプリンクラー装置の作用について説明する。
まず、カバー本体１２を用いる際、天井パネル２の開口部１４を形成した際の天井パネル２の切り抜いた部分をそのまま蓋体１８として利用し、この蓋体１８をカバー本体１２の枠体１６の支持部２６に載置する。このとき、カバー本体１２の枠体１６の支持部２６における内側フランジ部２６ａが蓋体１８の底面外周部を天井パネル２の表側から支持し、カバー本体１２の枠体１６の複数の突出部２８，３０が蓋体１８の外縁を固定する。
また、このようなカバー本体１２を天井パネル２の開口部１４に取り付けた際に、カバー本体１２の枠体１６と固定ユニット８のそれぞれの引張コイルばね取付部２２，２４に取り付けられた引張コイルばね２０の張力により、カバー本体１２が天井パネル２に付勢される。このとき、カバー本体１２の枠体１６の支持部２６における外側フランジ部２６ｂが天井パネル２の開口部１４に当接して天井パネル２の表側から支持する。
さらに、カバー本体１２の枠体１６の対向する一対の引張コイルばね取付部２２の間隔は、固定ユニット８の対向する一対の引張コイルばね取付部２４の間隔よりも大きくなっており、カバー本体１２の枠体１６の引張コイルばね取付部２２が固定ユニット８の引張コイルばね取付部２４に対して外側下方に位置している。このため、引張コイルばね２０の両端がカバー本体１２と固定ユニット８のそれぞれの引張コイルばね取付部２２，２４に取り付けられた際には、引張コイルばね２０はそのコイル中心軸線２０ｃが斜め上方に延びてコイル中心軸線２０ｃと天井パネル２とがなす角度が鋭角αになるように配置される。この結果、引張コイルばね２０の両フック部２０ａ，２０ｂには、カバー本体１２を天井パネル２に付勢した状態を維持するのに十分な張力が作用する。
【００２３】
上述した本発明の第１実施形態によるスプリンクラー装置１によれば、天井パネル２の厚みが変更されたり、固定ユニット８の高さ方向の設置位置が変更される等、スプリンクラー装置１の設置位置が変わっても、カバー本体１２の枠体１６の引張コイルばね取付部２２に取り付けられる引張コイルばね２０の取付位置２２ａ，２２ｂを適宜選択することにより、カバー本体１２を天井パネル２に付勢する付勢力（引張コイルばねの張力）を調整することができるため、カバー本体１２を天井パネルの開口部１４に取り付けた際に所定以上の付勢力（引張コイルばねの張力）を維持し、カバー本体１２を天井パネル２に確実に付勢して保持することができる。
本実施形態によるスプリンクラー装置１によれば、カバー本体１２の枠体１６の複数の突出部２８，３０が枠体１６の支持部２６を内側フランジ部２６ａと外側フランジ部２６ｂに画定するため、カバー本体１２を天井パネル２の開口部１４に取り付けた際、枠体１６の支持部２６の内側フランジ部２６ａが蓋体１８の底面外周部を天井パネル２の表側から支持し、枠体１６の支持部２６の外側フランジ部２６ｂが天井パネル２の開口部１４に天井パネル２の表側から当接することができ、カバー本体１２を天井パネル２に確実に取り付けることができる。
本実施形態によるスプリンクラー装置１によれば、引張コイルばね取付部２２を含む枠体１６の突出部２８が対向する一対の突出部により構成されているため、カバー本体１２を天井パネル２の開口部１４に取り付けた際に、カバー本体１２の枠体１６の対向する引張コイルばね取付部２２のそれぞれに取り付けた２つの引張コイルばね２０により、カバー本体１２を天井パネル２に安定して確実に付勢して保持することができる。
【００２４】
本実施形態によるスプリンクラー装置１によれば、カバー本体１２の枠体１６の突出部２８において引張コイルばね取付部２２の取付位置２２ａ，２２ｂが縦方向に配列されているため、天井パネル２の厚みが変更されたり、固定ユニット８の高さ方向の設置位置が変更される等、スプリンクラー装置１の設置位置が変わっても、引張コイルばね２０のフック部２０ａを引張コイルばね取付部２２に取り付ける際に取付位置２２ａ，２２ｂのいずれかを適宜選択することにより、カバー本体１２を天井パネル２に付勢する付勢力を調整することができるため、カバー本体１２を天井パネル２の開口部１４に取り付けた際に所定以上の付勢力を維持し、カバー本体１２を天井パネル２に確実に付勢して保持することができる。
本実施形態によるスプリンクラー装置１によれば、カバー本体１２の枠体１６における突出部２８の基端部から引張コイルばね取付部２２の最上段の取付位置２２ｂまでの高さが天井パネル２の厚みより大きいため、天井パネル２又は蓋体１８の厚みが厚い場合でも引張コイルばね取付部２２の少なくとも最上段の取付位置２２ｂを確保することができ、天井パネル２又は蓋体１８の厚みが薄い場合には、引張コイルばね取付部２２の下段の取付位置２２ａを利用することができる。
本実施形態によるスプリンクラー装置１によれば、引張コイルばね２０のフック部２０ｂが取り付けられる引張コイルばね取付部２４を備えた固定ユニット８が野縁１０に固定されているため、カバー本体１２の枠体１６の引張コイルばね取付部２２と固定ユニット８の引張コイルばね取付部２４との鉛直方向距離の変動要因が、天井パネル２の厚さのみになる。このため、引張コイルばね取付部２２，２４に取り付けられた引張コイルばね２０は十分に伸びることができ、その張力の鉛直方向成分がカバー本体１２を十分に引き上げることができる。したがって、カバー本体１２を天井パネル２の開口部１４に取り付けた際に引張コイルばねの張力を所定以上に維持し、カバー本体を天井パネルに確実に付勢して保持することができる。
【００２５】
本実施形態によるスプリンクラー装置１によれば、カバー本体１２の枠体１６の引張コイルばね取付部２２が固定ユニット８の引張コイルばね取付部２４に対して外側下方に位置し、引張コイルばね２０の両端がカバー本体１２と固定ユニット８のそれぞれの引張コイルばね取付部２２，２４に取り付けられた際には、引張コイルばね２０はそのコイル中心軸線２０ｃが斜め上方に延びてコイル中心軸線２０ｃと天井パネル２の面とがなす角度が鋭角αになるように配置されている。このため、天井パネル２の厚みが薄い場合に引張コイルばね２０が取り付けられる枠体１６の引張コイルばね取付部２２と固定ユニット８の引張コイルばね取付部２４との間の鉛直方向の距離が短くなっても、引張コイルばね取付部２２，２４の水平方向の距離が確保され、引張コイルばね取付部２２，２４に取り付けられた引張コイルばね２０は十分に伸びることができ、その張力の鉛直方向成分がカバー本体１２を十分に引き上げることができるため、カバー本体１２を天井パネル２の開口部１４に取り付けた際に引張コイルばね２０の張力を所定以上に維持し、カバー本体１２を天井パネル２に確実に付勢して保持することができる。
本実施形態によるスプリンクラー装置１によれば、枠体１６の突出部２８における引張コイルばね取付部２２の取付位置２２ａ，２２ｂの上方に凹んだ凹形状の溝に引張コイルばね２０のフック部２０ａを着脱可能に取り付けることができるため、天井パネル２の厚みが変更されたり、固定ユニット８の高さ方向の設置位置が変更される等、スプリンクラー装置１の設置位置が変わっても、カバー本体１２の枠体１６の引張コイルばね取付部２２に取り付けられる引張コイルばね２０の取付位置２２ａ，２２ｂを適宜選択することにより、カバー本体１２を天井パネル２に付勢する付勢力を調整することができる。また、カバー本体１２を天井パネル２の開口部１４に取り付けた際に所定以上の付勢力を維持し、カバー本体を天井パネルに確実に付勢して保持することができる。
本実施形態によるスプリンクラー装置１によれば、カバー本体１２の枠体１６の突出部２８に引張コイルばね取付部の複数の取付位置２２ａ，２２ｂを設けたことにより、蓋体１８を別途成形することなく、天井パネル２の開口部１４を形成した際の天井パネル２の切り抜いた部分をそのまま有効利用することができるため、取り付けの施工を簡単に行うことができる。また、蓋体１８が天井パネル２と同一の材料となるため、カバー本体１２を天井パネル２の開口部１４に取り付けた際の両者の表面上の外観を一致させることができ、カバー本体と天井パネルとの一体感を生じさせることができる。
なお、上述した本発明の第１実施形態によるスプリンクラー装置１では、カバー本体１２を天井パネル２に付勢する付勢手段として引張コイルばね２０を用いた例を説明したが、このような引張コイルばねに限定されず、他の種類のばね要素等でも適用可能である。
【００２６】
つぎに、本発明の第１実施形態の変形例によるスプリンクラー装置について説明する。
図５は、本発明の第１実施形態の変形例によるスプリンクラー装置を示す図２と同様な断面図である。ここで、図５において、図２に示す第１実施形態のスプリンクラー装置と同一の部分については、同一の符号を付し、それらの説明は省略する。
図５に示すように、本実施形態のスプリンクラー装置５０では、天井パネル５２の厚みが第１実施形態の場合の天井パネル２の厚みよりも厚い点が異なっている。カバー本体５４の蓋体５６は、第１実施形態と同様に、天井パネル５２を切り抜いて開口部５８を形成した際の天井パネル５２の切り抜いた部分をそのまま利用して用いられるようになっている。
また、天井パネル５２及び蓋体５６の厚みがカバー本体５４の引張コイルばね取付部２２の下段の取付位置２２ａの高さよりも厚いため、天井パネル５２及び蓋体５６の厚みが障害となって下段の取付位置２２ａが使用できなくなっているが、天井パネル５２及び蓋体５６の厚みがカバー本体５４の引張コイルばね取付部２２の上段の取付位置２２ｂの高さよりは低いため、引張コイルばね２０のフック部２０ａがカバー本体５４の引張コイルばね取付部２２の上段の取付位置２２ｂには取り付け可能となっている。
【００２７】
本発明の第１実施形態の変形例によるスプリンクラー装置５０によれば、天井パネル５２及び蓋体５６の厚みが変更されて固定ユニット８の高さ方向の設置位置が変わっても、、引張コイルばね２０のフック部２０ａを取り付けるカバー本体５４の引張コイルばね取付部２２の取付位置２２ａ，２２ｂを適宜選択することにより、カバー本体５４を天井パネル５２に付勢する付勢力（引張コイルばね２０の張力）を調整することができる。また、カバー本体１２を天井パネルの開口部５８に取り付けた際に所定以上の付勢力（引張コイルばね２０の張力）を維持し、カバー本体５４を天井パネル５２に確実に付勢して保持することができる。
【００２８】
つぎに、本発明の第２実施形態によるスプリンクラー装置について説明する。
図６は、本発明の第２実施形態によるスプリンクラー装置のカバー本体の枠体における引張コイルばね取付部を含む突出部の部分を示す部分拡大図である。ここで、図６において、図４に示す第１実施形態のスプリンクラー装置のカバー本体の枠体における引張コイルばね取付部を含む突出部の部分と同一の部分については、同一の符号を付し、それらの説明は省略する。
図６に示すように、本実施形態のスプリンクラー装置７０の構成では、カバー本体７２の枠体７４の突出部７６における引張コイルばね取付部７８が、互いに斜め方向に配列されている２つの取付位置７８ａ，７８ｂを含む点で第１実施形態のスプリンクラー装置１と異なった構成となっている。なお、本実施形態では、枠体７４の突出部７６に互いに斜め方向に配列されている取付位置７８ａ，７８ｂの個数については、一例として２つに設定されているが、３つ以上に設定してもよく、取付位置７８ａ，７８ｂの縦方向及び横方向に隣接したさらなる取付位置を追加して設けてもよい。
【００２９】
本実施形態によるスプリンクラー装置７０によれば、上述した第１実施形態と同様に、天井パネル２の厚みが変更されたり、固定ユニット８の高さ方向や水平方向の設置位置が変更されても、引張コイルばね２０のフック部２０ａを引張コイルばね取付部７８に取り付ける際に、斜め方向に配列された取付位置７８ａ，７８ｂを適宜選択することにより、カバー本体７２を天井パネルに付勢する付勢力（引張コイルばね２０の張力）を調整することができ、カバー本体を天井パネルの開口部に取り付けた際に所定以上の付勢力（引張コイルばね２０の張力）を維持し、カバー本体を天井パネルに確実に付勢して保持することができる。
【図面の簡単な説明】
【００３０】
【図１】本発明の第１実施形態によるスプリンクラー装置を示す概略斜視図である。
【図２】図１のII−II断面図である。
【図３】本発明の第１実施形態によるスプリンクラー装置のカバー本体を示す分解斜視図である。
【図４】図３のカバー本体の枠体の突出部の部分を示す部分拡大図である。
【図５】本発明の第１実施形態の変形例によるスプリンクラー装置を示す断面図である。
【図６】本発明の第２実施形態によるスプリンクラー装置のカバー本体の枠体における引張コイルばね取付部を含む突出部の部分を示す部分拡大図である。
【符号の説明】
【００３１】
１，５０，７０  スプリンクラー装置
２，５２  天井パネル
３  給水管
４  スプリンクラーヘッド部
６  配管接続継手
８  固定ユニット
１０  野縁
１２，５４，７２  カバー本体
１４，５８  天井パネルの開口部
１６，７４  カバー本体の枠体
１８，５６  カバー本体の蓋体
１８ａ  散水用開口部
２０  引張コイルばね
２０ａ，２０ｂ  引張コイルばねのフック部
２２，７８  カバー本体の引張コイルばね取付部
２２ａ，２２ｂ，７８ａ，７８ｂ  カバー本体の引張コイルばね取付部の取付位置
２４  固定ユニットの引張コイルばね取付部
２６  カバー本体の枠体の支持部
２６ａ  カバー本体の枠体の支持部の内側フランジ部
２６ｂ  カバー本体の枠体の支持部の外側フランジ部
２８，３０，７６  カバー本体の枠体の突出部
【要約】
【課題】カバー本体を天井パネルに付勢する付勢力を確保することができるスプリンクラー装置を提供する。
【解決手段】本発明のスプリンクラー装置１は、天井パネル２の開口部１４に取り付けられた筒状の枠体１６と円盤状の蓋体１８とからなるカバー本体１２と、天井パネルの裏側に設けられ、給水管３とスプリンクラーヘッド部４とを接続する配管接続継手６を固定する固定ユニット８と、一端部２０ａがカバー本体の枠体に取り付けられると共に他端部２０ｂが固定ユニットに取り付けられ、カバー本体を天井パネルに対して付勢する引張コイルばね２０と、を有し、カバー本体の枠体は、環状の支持部２６から上方に突出して蓋体の外縁を固定する複数の突出部２８，３０とを備え、これらの突出部２８は、引張コイルばねの一端部が取り付けられる複数の取付位置２２ａ，２２ｂを含む引張コイルばね取付部２２を備えている。
【選択図】図１【図１】
0004239224.tif 000002
【図２】
0004239224.tif 000003
【図３】
0004239224.tif 000004
【図４】
0004239224.tif 000005
【図５】
0004239224.tif 000006
【図６】
0004239224.tif 000007